(57)【要約】      （修正有）【課題】排気の流れを目で見極めることが可能な排気測定器の提供。【解決手段】排気ダクトカバーに装着した排気測定器。【選択図】図１
2006254516.tif 000002
【特許請求の範囲】
【請求項１】
天井排気ダクト壁掛け排気ダクト室内より室外の排気カバーに装着し目でみきあめる排気測定器を提供する。
【発明の詳細な説明】
【技術分野】
【０００１】排気カバーに、空気流道を、みきあめるように設けられて成る排気測定器である。
「背景技術」【０００２】考案は、目で排気の流れをみきあめる物である。【０００３】従来、気軽に排気の流れを見るうえにおいて、感覚でしかなかった。
「発明の開示」
「発明が解決しょうとする問題」【０００４】排気をみるうえにおいて、空気に空道をあたえる器具である。
「問題を解決するための手段」【０００５】本考案は、従来排気をみきあめるうえにおいて、空気の流れを簡単に、継続的にみきあめるように計った器具。
「発明の効果」【０００６】みるだけで、室内より室外えの排気の流れの状態を見、随時排気の流動の確認ができる。【０００７】随時、排気の状態をみきあめる構成になっている。
「実施例」【０００８】図面図１より図１３本考案、目でみきあめる排気測定器の実施例を説明する。図３Ａにて、排気カバーならび壁掛け排気カバーの、裏側に、符号６  ７  ８で排気カバーの裏側の幅をしめし、図６Ａを６  ７  ８に固定又固定するための図４Ａにて３で固定する。【０００９】上記にて、動作行動有り室内より室外に固定する。【００１０】室外室内の掛け合わせにて空気の流動を確認する以下符号にて。【００１１】空気の流動確認は図１Ａにて固定図８  １２のように１３が空気の流動をさまたげる。【００１２】図１３にて室内より室外にむけて空気流動のさまたげをすることによって空気流動排気とを随時確認できる。【００１３】図１０にて１１から１１Ａに図１１の１５−１５Ａを反発固定し壁掛けフック１４を図１Ｂの３にフックするあらかじめの図１Ａにてもよし  さいど固定をはかるため壁掛けフック１４を図１０にて１１−１１Ａを反発固定し図９Ｃにて１３Ｂの長めのシールドを利用し図１Ｂにて３に１４を反発固定する。【００１４】壁掛け排気ファンの汚れを確認することもできる。【００１５】すなわち室内から室外の空気の流道を壁に備え付きの排気器具や室内から室外えの天井を通じる排気器具のカバーに固定することによって家庭内での排気  産業上の室内から室外えの排気の確認にて空気流動にての目でみあける排気測定器を提供する。
「産業上の利用可能性」【００１６】以上、考案の効果、説明したように請求項１に関する目でみきあめる排気測定器によれば、随時排気の状態確認ができる。
素材としてプラスチック系金物、使用可能である。
【図面の簡単な説明】「図１」
考案の斜視図である。
「図２」
平面図
「図３」平面図
「図４」平面図
「図４Ａ」立体図
「図５」立体平面図
「図５Ａ」立体平面図
「図６」平面図
「図６Ａ」断面図
「図６Ｂ」立体図
【符号の説明】
０１    排気測定器
１    本体
２    安全固定器
３    安全固定ステック
４    シールドはさみ口
５    シールドはさみ口
６    高さ固定口
７    高さ固定口
８    高さ固定口
９    シールド通係口
１０    シールド通係口
１１    壁掛け固定フック
１１Ａ  壁掛け固定フック
１２    割ピン
１３    シールド固定
１３Ｂ  シールド
１４    壁掛けフック
１５    本体フック
１５Ａ  本体フック
１６    天井内
１６Ａ  室内
【図１】
2006254516.tif 000003
【図２】
2006254516.tif 000004
【図３】
2006254516.tif 000005
【図４】
2006254516.tif 000006
【図４Ａ】
2006254516.tif 000007
【図５】
2006254516.tif 000008
【図５Ａ】
2006254516.tif 000009
【図１Ａ】
2006254516.tif 000010
【図４Ａ】
2006254516.tif 000011
【図６】
2006254516.tif 000012
【図６Ａ】
2006254516.tif 000013
【図６Ｂ】
2006254516.tif 000014
【図３Ａ】
2006254516.tif 000015
【図７】
2006254516.tif 000016
【図８】
2006254516.tif 000017
【図９】
2006254516.tif 000018
【図９Ｃ】
2006254516.tif 000019
【図１Ｂ】
2006254516.tif 000020
【図２Ａ】
2006254516.tif 000021
【図１０】
2006254516.tif 000022
【図１１】
2006254516.tif 000023
【図１Ｃ】
2006254516.tif 000024
【図１２】
2006254516.tif 000025
【図１２Ａ】
2006254516.tif 000026
【図１３】
2006254516.tif 000027
【手続補正書】
【提出日】平成16年11月4日(2004.11.4)
【手続補正１】
【補正対象書類名】明細書
【補正対象項目名】全文
【補正方法】変更
【補正の内容】
【発明の詳細な説明】
【技術分野】
【０００１】排気カバ−に、空気流道を、みきあめるように設けられて成る排気測定器である。
【背景技術】
【０００２】考案は、目で排気の流れをみきあめる器具である。従来、気軽に排気の流れを見るうえにおいて、感覚でしかなかった。
【発明の開示】
【発明が解決しょうとする問題】
【０００３】排気をみるうえにおいて、空気に空道をあたえる器具である。
【問題を解決するための手段】
【０００４】本考案は、従来排気をみきあめるうえにおいて、空気の流れを簡単に、継続的にみきあめるように計った器具。
【発明の効果】
【０００５】みるだけで、室内より室外えの排気の流れの状態を見、随時排気の流動の確認ができる。
【０００６】随時、排気の状態をみきあめる構成になっている。
【実施例】
【０００７】図面図１より図１７本考案、目でみきあめる排気測定器の実施例を説明する。図１排気測定器符号０１図２本体符号１にて、排気カバ−ならび壁掛け排気カバ−の、裏側に、図２高さ調整器符号６  ７  ８を空気流動の流れをしめ図６安全固定器符号２を図２高さ調整器符号６  ７  ８にみきあめ空気流動にそいはめこみ、図７通係固定器符号２にて１２から１２Ａにむけて図３安全固定ステック符号３を通し図２高さ調整器符号６  ７  ８を通係し固定する。又符号１２Ａから１２にむけ符号３を通し固定することもできる。図１７にて空気流動のさまたげをみ図６安全固定器符号２を図２にてシ−ルド通係口符号９側から図１を参考にてあてがう方法。又シ−ルド通係口符号１０側からはめこみ固定できる。【０００８】空気の流動確認について、図１１割ピン符号１５に図１３シ−ルド線符号１７を図１２にて空気流動みきあめシ−ルド線符号１６を玉とし図１１割ピン符号１５の内側にはめこむ。図２本体の一部拡大図図１０上シ−ルドはさみ口符号４と下シ−ルドはさみ口符号４Ａとのシ−ルド通係口符号９より図１１符号１５図１３符号１７図１２符号１６をはさみあわせた器具を通し固定する。【０００９】図１７室外符号２０にて図６安全固定器符号２と図３安全固定ステック符号３の掛け合いの安全固定器又図８にて図１排気測定器符号０１と一対安定固定器符号１３との器具もなす。又図９にて一対安定固定器符号１４相対からなる符号４  ４Ａ９又排気流量にそう符号５  ５Ａ  １０となし型となす円一対の器具もある。【００１０】壁掛け排気カバ−室外側に図１にて安全固定ステック符号３排気口枠内におおじた長さをもたせ図２高さ調整器符号６  ７  ８を利用しみきあめ空気流動を確認し図１排気測定器符号０１と安全固定ステック符号３とのかみあわせにて固定する。又図１にて安全固定器符号２と安全固定ステック符号３をかみあいにて壁掛け用固定器具ともできる。【００１１】図１５本体フック符号１８に図１３シ−ルド線符号１７を図１２空気みきあめシ−ルド線符号１６を玉がけし図１４にて壁掛け固定フック符号１１から１１Ａ又１１Ａから１１に図１５本体フック符号１８の壁掛け用フック符号１９と１９Ａ又１９Ａと１９の先端より図１４にて壁掛け固定フックに固定することにて重量のある空気流動にたいおうする。【００１２】図４側面にて上シ−ルドはさみ口符号４下シ−ルドはさみ口符号４Ａシ−ルド通係口符号９壁掛け固定フック符号１１と１１Ａ  図５側面にて上シ−ルドはさみ口符号５下シ−ルドはさみ口符号５Ａシ−ルド通係口符号１０壁掛け固定フック符号１１Ａと１１を図１３シ−ルド線符号１７の固定位置となす。【００１３】上記にて、室外室内の掛け合わせにて空気の流動を目でみきあめ確認することができる。【００１４】すなわち室内から室外の空気の流動を壁に備え付きの排気器具や室内から室外えの天井を通じる排気器具のカバ−に固定することによって家庭内での排気産業上の室内から室外えの排気の確認にて空気流動にての目でみきあめる排気測定器を提供する。［産業上の利用可能性］【００１５】以上、考案の効果、説明したように請求項１に関する目でみきあめる排気測定器によれば、随時排気の状態確認ができる。素材としてプラスチック系金物木使用可能である。
【図面の簡単な説明】
【００１６】
【図１】立体図
【図２】平面図
【図３】平面図
【図４】側面図
【図５】側面図
【図６】平面図
【図７】断面図
【図８】立体図
【図９】平面図
【図１０】拡大立体図
【図１１】平面図
【図１２】平面図
【図１３】平面図
【図１４】立体図
【図１５】平面図
【図１６】平面図
【図１７】立体図
【符号の説明】
【００１７】０１    排気測定器１      本体２      安全固定器３      安全固定器ステック４      上シ−ルドはさみ口４Ａ    下シ−ルドはさみ口５      上シ−ルドはさみ口５Ａ    下シ−ルドはさみ口６      高さ調整器７      高さ調整器８      高さ調整器９      シ−ルド通係口１０    シ−ルド通係口１１    壁掛け固定フック１１Ａ  壁掛け固定フック１２    通係固定器１２Ａ  通係固定器１３    一対安定固定器１４    一対安定固定器１５    割ピン１６    空気流動みきあめシ−ルド線１７    シ−ルド線１８    本体フック１９    壁掛け用フック１９Ａ  壁掛け用フック２０    室外２１    室内
【手続補正２】
【補正対象書類名】図面
【補正対象項目名】全図
【補正方法】変更
【補正の内容】
【図１】
2006254516.tif 000028
【図２】
2006254516.tif 000029
【図３】
2006254516.tif 000030
【図４】
2006254516.tif 000031
【図５】
2006254516.tif 000032
【図６】
2006254516.tif 000033
【図７】
2006254516.tif 000034
【図８】
2006254516.tif 000035
【図９】
2006254516.tif 000036
【図１０】
2006254516.tif 000037
【図１１】
2006254516.tif 000038
【図１２】
2006254516.tif 000039
【図１３】
2006254516.tif 000040
【図１４】
2006254516.tif 000041
【図１５】
2006254516.tif 000042
【図１６】
2006254516.tif 000043
【図１７】
2006254516.tif 000044